(57)【要約】本発明は、固定構造体（１０）と、シート部分（２４）、背部（２２）、レッグレスト（２６）及び、随意にはレッグレスト延長部（２８）を組み入れた可動構造体（２０）と、を備えるシートに関する。可動構造体（２０）が、単一の制御部材を使って、人間工学的に快適な中間の形状構成を通過して、極限シート状形状構成と、極限ベッド状形状構成との間で移動することができるように、可動構造体（２０）の異なる部材はこれらの間かつ固定構造体（１０）に機械的にリンク結合される。前記制御部材は手動又は動力で動く。
2004516189.tif 000002
【特許請求の範囲】
【請求項１】
航空機のような車両に使用するように構成された、ベッドに変換することができるシートであって、
固定構造体（１０）と、
シート底部（２４）、該シート底部に関着されたシート背面（２２）及び該シート底部にも関着されたレッグレスト（２６）を具備する可動構造体（２０）と、
前記固定構造体（１０）と前記シート背面（２２）との間に挿入され、第１の実質的に鉛直な極限位置と第２の実質的に水平な極限位置との間で前記シート背面の制御された移動を可能にする第１案内手段（４０′、４４、４８、５０）と、を備えるシートにおいて、
前記第２案内手段（５２、５８、６０、６２）が、前記固定構造体（１０）と前記シート底部（２４）及び前記レッグレスト（２６）の間に挿入され、これにより、前記シート背面（２２）の第１位置と、該シート背面（２２）の第２位置との間の該シート背面の制御された移動が前記シート底部（２４）及び前記レッグレスト（２６）の対応する移動によって達成され、その効果は第１極限シート形式姿勢と第２極限ベッド形式姿勢との間で与えられた中間姿勢を通過しながら前記可動構造体（２０）を自動的に移動させることであることを特徴とするシート。
【請求項２】
前記シート底部が人間工学的な中間位置を占有することができるように、第２案内手段は少なくとも第１コネクティングロッド（５２）を備え、このロッドの前記両端が前記固定構造体（１０）上及び前記シート底部（２４）上に関着される、請求項１に記載のシート。
【請求項３】
第２案内手段は、前記レッグレスト（２６）を前記固定構造体（１０）及び前記第１コネクティングロッド（５２）に連結する第１制御機構（５８、６０、６２）を備える、請求項２に記載のシート。
【請求項４】
前記第１制御機構は、少なくとも１つの第２コネクティングロッド（６０）を備え、該第２コネクティングロッドの前記両端が自身の他端で前記固定構造体（１０）に関着された第３コネクティングロッド（５８）に関着され、及び該第２コネクティングロッドの他端が自身の他端で前記レッグレスト（２６）に関着された第４コネクティングロッド（６２）に関着され、この第２コネクティングロッドは、前記第１及び第２コネクティングロッドの前記両端間で前記第１コネクティングロッド（５２）に関着される、請求項３に記載のシート。
【請求項５】
前記可動構造体（２０）は、後退極限位置と伸張極限位置との間の前記レッグレスト（２６）上で摺動することができる該レッグレストの伸張部（２８）、及び、自身の第１極限姿勢と自身の第２極限姿勢との間の前記可動構造体（２０）の変形が、その後退極限位置とその伸張極限位置との間の前記伸張部（２８）の段階的前進変位によって達成されるように、前記伸張部（２８）を前記シート底部（２４）及び前記レッグレスト（２６）に連結する第２制御機構（７４、７６、７８）を備える、請求項１から請求項４までのいずれか１項に記載のシート。
【請求項６】
前記第２制御機構は、少なくとも１つの第５コネクティングロッド（７６）を備え、該第５コネクティングロッドの一端が第６コネクティングロッド（７４）に関着され、該第６コネクティングロッドの他端が前記シート底部（２４）に関着され、及び前記第５コネクティングロッドの他端が第７コネクティングロッド（７８）に関着され、該第７コネクティングの他端が前記レッグレストの前記伸張部（２８）に関着され、前記第５コネクティングロッドが該第５コネクティングロッドの中間位置で前記レッグレスト（２６）に関着される、請求項５に記載のシート。
【請求項７】
前記第２制御機構は、前記シート底部によって支持されるプーリの周りに巻回される少なくとも１つのケーブルを備える、請求項５に記載のシート。
【請求項８】
前記第１案内手段は、前記シート背面の頂部に設置される第１案内装置（４０′）、前記固定構造体（１０）に連結され自身が前記第１案内装置（４０′）と協働する第１スライド（４４）、前記シート背面（２２）の底部に設置される第２案内装置（４８）、及び前記固定構造体（１０）に連結され自身が前記第２案内装置（４８）と協働する第２スライド（５０）を備える、請求項１から請求項７までのいずれか１項に記載のシート。
【請求項９】
前記第１スライド（４４）は、好ましくは実質的に鉛直であり、かつ前記第２スライド（５０）は実質的に水平である、請求項８に記載のシート。
【請求項１０】
前記第２案内装置（４８）は、前記シート底部（２４）と前記シート背面（２２）との間でヒンジピン（３０）上で中心に置かれている、請求項８または請求項９に記載のシート。
【請求項１１】
単一の手動制御が前記可動構造体（２０）を前記第１極限位置と前記第２極限位置との間で移動させる、請求項１から請求項１０までのいずれか１項に記載のシート。
【請求項１２】
単一のモータ駆動による制御装置（９０）が前記可動構造体（２０）を前記第１極限位置と前記第２極限位置との間で移動させる、請求項１から請求項１０までのいずれか１項に記載のシート。
【発明の詳細な説明】
【０００１】
【発明の属する技術分野】
本発明は、航空機のような車両に使用するために構成された、ベッドに変換することができるシートに関する。
【０００２】
より詳細には、本発明は、その全調節範囲に亘って人間工学的に快適な位置に運ぶために使用することができる単一の制御装置を設けた、ベッドに変換することができるシートに関する。
【０００３】
本発明に従うシートは、航空機、特に乗客輸送のために構成された航空機及び商用航空機に関して適用するのが好ましい。しかしながら、このシートは列車及びバスのような他の形式の車両に使用することもできる。
【０００４】
【従来の技術】
航空機に使用される最も快適なシートは、２つの極限姿勢、及び非常に多数の幾分人間工学的な中間姿勢にあることができるように構成された傾斜又は可動構造体を支持する固定構造体を備える。
【０００５】
これらの第１の極限姿勢では、シートの傾斜構造体は、シート背面が持ち上げられる、換言すれば実質的に鉛直であるシートの形態をしている。この姿勢は航空機の離陸及び着陸の間中ずっと使用される。
【０００６】
第２の極限姿勢では、傾斜構造体は寝台又はベッドの形態をしている。この姿勢は乗客が所望する時はいつでも横になることを可能にする。
【０００７】
これらの２つの極限位置を占有することができる現存するシートは、通常、シート底部、シート底部の後部に関着されたシート背面、及びシート底部の前部上に関着されたレッグレストを含む。
【０００８】
幾つかの現存するシートは、シート底部の傾斜がシートの全調節範囲に亘るシート背面の傾斜に関連するように構成される。独国特許第２  ２９５  ９６２号公報はこの形式のシートを記載しており、それによると、シート底部の前部端は、シート底部及びシート背面が自身の“ベッド”姿勢に向けて動く時に床上前向きにころがるか又はこれらが自身の“シート”姿勢に向けて動く時に後向きにころがるキャリッジ上に支持されている。別個の制御装置がレッグレストをその後退位置からその伸張位置、及びこの逆に動かす。
【０００９】
この形式のシートの欠点は、乗客がシートの姿勢を変更したい時はいつでも２つの異なる設定をしなければならないことである。従って、人間工学的に最も快適な姿勢を得ることは難しい。
【００１０】
【発明が解決しようとする課題】
さらに、２つの独立した設定の存在は、それが手動であるか電動であるかに拘わらず、制御箱を複雑化する。
【００１１】
さらに、独国特許第２  ２９５  ９６２号公報に記載された装置構成は、シート底部の前部端にリンク結合されたキャリッジが、エアポケットに遭遇した際に上向きに傾斜し得るものであり、かくして床の磨耗の早期化を引き起こす。
【課題を解決するための手段】
【００１２】
レッグレストが伸張部を含む幾つかの航空機シートもあり、この伸張部の開傘はレッグレストの全傾斜範囲に亘って該レッグレストの傾斜に関連する。
【００１３】
この形式のシートは、制御箱の複雑さと、乗客が人間工学的に快適な姿勢を見出すための困難さに関して、前述の欠点に類似する欠点を有する。
【００１４】
他の現存するシートは、シート背面、シート底部及びレッグレストが関連するように構成されている。しかしながら、この連結は、シートをその極限姿勢の１つに運ぶ、換言すれば、シートを離陸及び着陸の間中使用される“シート”姿勢にするか、あるいはシートを“ベッド”姿勢にするかの何れかのために使用される。換言すれば、単一の制御装置は、この形式のシートで全ての中間姿勢に到達するには十分でない。
【００１５】
欧州特許第０  ８６９  ０６１号公報及び欧州特許第１  ０４３  ２２５号公報は航空機シートを記載し、これによると、第１電動モータがシート背面の動きを制御し、かつ第２電動モータがレッグレスト及びシート底部間の相対運動を制御し、レッグレストが床上に支持される。マイクロプロセッサーが、レッグレストとシート底部との間の角度がシート背面によって占有される位置に依存するように、第１電動モータに連結された電位差計から出力された信号に応じて第２電動モータを制御する。結局、シート底部の位置は２つの設定によって同時に決定される。
【００１６】
この形式のシートは、依然として比較的複雑である。何故なら、この形式のシートは２つの別個の電動モータを使用するからである。さらに、シートがその“ベッド”姿勢にある際に強く傾斜されるように、レッグレストの下端は永久的に床上に支持される。この配置構成は、極めて満足の行くものではない。何故なら、シート底部のレッグレスト組立体はエアポケットに遭遇した際に上向きに傾斜し得るからであり、そしてこの組立体がレッグレストと接触するようになる位置で床上に結果として生じる磨耗のためである。
【００１７】
【発明が解決しようとする課題】
本発明の目的は、単一の制御装置を使って自身の全調節範囲に亘って人間工学的に快適な位置に自動的に運ばれる進歩的な構成を具備するシートであって、このシートの如何なる可動部品も床上に支持されることがないシートである。
【００１８】
【課題を解決するための手段】
本発明によれば、この結果は、航空機のような車両用ベッドに変換することができるシートを使って達成される。このシートは、シート底部、シート底部に関着されたシート背面及びシート底部にも関着されたレッグレストを含む固定構造体及び可動構造体と、固定構造体とシート背面との間に挿入され、第１の実質的に鉛直な極限位置と、第２の実質的に水平な極限位置との間でシート背面の制御された移動を可能にする第１案内手段と、を備え、第２案内手段が、固定構造体、シート底部及びレッグレスト間に挿入され、その結果、シート背面の第１位置と、シート背面の第２位置との間の該シート背面の制御された移動がシート底部及びレッグレストの対応する移動によって達成されることを特徴とし、その効果は第１極限ベッド形式姿勢と、第２極限ベッド形式姿勢との間で与えられた中間姿勢を通過しながら可動構造体を自動的に移動させることである。
【００１９】
この配置構成の結果として、シート底部、シート背面及びレッグレストの傾斜は機械的に一緒にリンク結合される。それ故、単一の手動又は電動モータ制御を使うことによって、可動構造体は、シートの全調節範囲に亘る人間工学的に快適な位置を通じて、自身の２つの端部姿勢間で移動することができる。
【００２０】
本発明の１つの好ましい実施態様では、シートが人間工学的な中間位置を占有することができるように、第２案内手段は少なくとも１つの第１コネクティングロッドを備え、このロッドの両端が固定構造体上及びシート底部上に関着される。
【００２１】
好ましくは、第２案内手段は、レッグレストを固定構造体及び第１コネクティングロッドに連結する第１制御機構を備える。
【００２２】
有利なことに、第１制御機構は、この時、少なくとも１つの第２コネクティングロッドを備え、該第２コネクティングロッドの一端が、自身の他端で固定構造体に関着された第３コネクティングロッドに関着され、及び該第２コネクティングロッドの他端が、自身の他端でレッグレストに関着された第４コネクティングロッドに関着され、この第２コネクティングロッドは、第１及び第２コネクティングロッドの両端間で第１コネクティングロッドに関着される。
【００２３】
好ましくは、可動構造体は、後退極限位置と、伸張極限位置との間のレッグレスト上で摺動することができる該レッグレストの伸張部、及び、自身の第１極限姿勢と、自身の第２極限姿勢との間の可動構造体の変形が、その後退極限位置と、その伸張極限位置との間の伸張部の段階的前進変位によって達成されるように、伸張部をシート底部及びレッグレストに連結する第２制御機構を備える。
【００２４】
この場合、第２制御機構は、少なくとも１つの第５コネクティングロッドを備え、該第５コネクティングロッドの一端が第６コネクティングロッドに関着され、該第６コネクティングロッドの他端がシート底部に関着され、及び第５コネクティングロッドの他端が第７コネクティングロッドに関着され、該第７コネクティングの他端がレッグレストの伸張部に関着され、第５コネクティングロッドが該第５コネクティングロッドの中間位置でレッグレストに関着される。
【００２５】
変形態様として、第２制御機構は前記シート底部によって支持されるプーリの周りに巻回される少なくとも１つのケーブルを備える。
【００２６】
本発明の好ましい実施形態では、第１案内手段は前記シート背面の頂部に設置される第１案内装置、前記固定構造体に連結され自身が前記第１案内装置と協働する第１スライド、前記シート背面の底部に設置される第２案内装置、及び前記固定構造体に連結され自身が前記第２案内装置と協働する第２スライドを備える。
【００２７】
この場合、第１スライドは好ましくは実質的に鉛直であり、かつ第２スライドは実質的に水平である。
【００２８】
有利なことに、第２案内装置は、シート背面及びシート底部間のヒンジピン上で中心に置かれている。
【００２９】
【発明の実施の形態】
添付図面を参照して限定的でない例示的な実施例として本発明の好ましい実施形態を説明する。
【００３０】
本発明によるシートの好ましい実施形態を、第１に、図１及び図２に示した極めて概略的な図を参照して、かつ、第２に、図３〜図５に示す詳細図を参照して説明する。
【００３１】
本願明細書の記載を通じて、“前部”及び“後部”という用語はシート自体の前部及び後部をそれぞれ引用する。
【００３２】
シートは、その一部のみが図３に示された固定構造体１０を備える。固定構造体１０は、当業者には周知でありかくして本明細書では簡易化のために記載しない周知の取付手段によって、自身を航空機のような車両の（図示しない）床に設置することができるように構成される。
【００３３】
固定構造体１０は、単一のシートに割り当てることができ、あるいは代わりに相並んで配置された２つのシートに属することができる。この固定構造体は、自身によって構造体が床上に支持される２つのスタンド１２、及び、スタンド１２を、床に近接するこれらのスタンドの前部両端部で互いに連結させるアンカーバー１を備える。固定構造体１０は、エルボを構成する２つの側部プレート１６及び自身によってプレート１６がスタンド１２に連結される２つのクロスバー１８も備える。アンカーバー１４及びクロスバー１８は、シートに対して長手方向に直角な方向に沿って配置される。
【００３４】
本発明によるシートは、固定構造体１０によって完全に支持され、かつこの固定構造体上に設置された可動式又は傾斜式構造体２０も備え、もってシート形態の第１極限姿勢と、ベッド形態の第２極限姿勢との間で、全てが乗客にとって人間工学的に快適なように選択される無数の与えられた中間姿勢を通過しながら移動できるようになっている。
【００３５】
可動構造体２０は、シート底部２４、シート背面２２、レッグレスト２６及びレッグレスト伸張部２８を備える。
【００３６】
シート背面２２の下部端縁は、互いに整列している２つのジャーナルによって具体的に示される第１ヒンジピン３０によってシート底部２４の後部端縁に関着される。レッグレスト２６の頂部端縁は、ジャーナル３６によって具体的に示される第２ヒンジピン３４によってシート底部２４の前部端縁に関着される。ヒンジピン３０及び３４は、シートに対して長手方向に直角な方向に配向される。
【００３７】
レッグレスト伸張部２８は、後退した極限位置と、伸張した極限位置との間で、ヒンジピンから遠ざかるか近づくように動かすことによって、ヒンジピン３４に対して直角なレッグレストの平面内で摺動することができるように、レッグレスト２６によって支持される。結果的に、スライド３８（図１及び図２）は伸張部２８と、レッグレスト２６との間に挿入される。
【００３８】
案内手段は、第１に、シートのシート底部２４と、固定構造体１０との間に設けられる。これらの案内手段は、この場合、ローラー４８から成る２つの案内装置を備える。ローラー４８の各々は、シート背面２２のシート２４のヒンジピン３０を具体的に示すジャーナル３２の１つに配置し得るが、これが唯一の可能性ではない。ローラー４８の各々は、シートの同じ側に設置された側部プレート１６の内側面に形成したスライド５０に嵌る。スライド５０は、実質的に直線でありかつ水平である。
【００３９】
上述した案内手段は、シート底部２４の完全に制御された移動を可能にするために、少なくとも１つの第１連結ロッド５２（２つのコネクティングロッド５２は、図３〜図５までに示す実施形態で使用される）も備える。各コネクティングロッド５２の頂部端は、シート底部２４の前側部分の下でヒンジピン５４によって関着され、そして各コネクティングロッド５２の底部端はヒンジピン５６によって固定構造体１０上に関着される。ヒンジピン５４は、シート底部の位置が人間工学的中間位置を通過するシートの移動の両端部では実質的に水平になるような位置にある。ヒンジピン５４及び５６はシートに対して長手方向に直角な方向に沿って配向される。
【００４０】
より詳細には、ヒンジピン５６はコネクティングロッド５２をアンカーバー１４に固定されたＵ字鉤（ｃｌｅｖｉｓ）に連結する。コネクティングロッド５２は、可動構造体１２が、図１、図３及び図４に示すように、シート形態で、自身の第１極限姿勢である際には、実質的に鉛直である。
【００４１】
他の案内手段は、シートの２つの遠極限置間のシート底部２４の移動がシート背面２２及びレッグレスト２６の対応して制御された移動に帰着するように、第１構造体１０、背面２２及びレッグレスト２６間に設けられる。これらの移動は、可動構造体が、この時、自身のシート及びベッド形態のそれぞれの２つの遠極限姿勢間で自動的に動くようなものである。
【００４２】
案内手段はシートのシート背面２２と、固定構造体１０との間にも設けられる。これらの案内手段は、第１の実質的に鉛直な極限位置と、第２の実質的に水平な極限位置との間でシート背面２２の制御された移動を可能にする。
【００４３】
図３及び図４に示す実施形態では、これらの案内手段は、この場合、シート背面２２の頂部部分回りに自由に回転するように支持された駆動シャフト４２の両端に固定されるローラー４０′から構成される２つの案内装置を備える。駆動シャフト４２は、シートに対して長手方向に直角な方向に沿って配向される。ローラー４０′の各々はシートの同じ側に設置される側部プレート１６の内側面に形成したスライド４４内に嵌る。スライド４４は実質的に真っ直ぐでありかつ鉛直である。各スライドにはラック４６が設けられ、このラックに対応するローラー４０′に固定される大歯車（ｇｅａｒ ｗｈｅｅｌ）４０が噛み合う。後述するように、この配置構成は、自身の遠極限位置間の傾斜構造体２０の変位を制御する手段でもある。
【００４４】
案内手段は、シート背面２４の前部が動く際にレッグレスト２６が制御された態様で自動的に移動されるように、レッグレスト２６の底部を固定構造体１０及びコネクティングロッド５２に連結する制御機構も備える。
【００４５】
図面に示した実施形態では、上述の制御機構は端部と端部が関着された３つのコネクティングロッド５８、６０及び６２を備える。
【００４６】
コネクティングロッド５８の底部端は、ヒンジピン６４によって固定構造体１０上に関着される。より詳細には、ヒンジピン６４は、アンカーバー６４に固定されるＵ字鉤を通過する。コネクティングロッド５８の頂部端は、図５に視認し得るヒンジピン６６によってコネクティングロッド６０の頂部端上に関着される。
別のヒンジピン６８はコネクティングロッド６０の底部端をコネクティングロッド６２の底部端に連結する。コネクティングロッド６２の頂部端は、今度は、別のヒンジピン６９によってレッグレスト２６の下部に関着される。ジャーナル７２によって具体的に示されるヒンジピン７０は、コネクティングロッド５２及び６０をこれらの両端で互いに連結させる。ヒンジピン６４、６６、６８、６９、及び７０はシートに対して長手方向に直角な方向に沿って配向される。
【００４７】
上述したレイアウトによって、シート背面２２を徐々に下降かつ傾斜させる、シート底部２４の前側部分の前進移動は、レッグレスト２６を徐々に上昇させるか、あるいは徐々に下降させる効果を備える。
【００４８】
図示した実施形態では、可動構造体２０がシートを構成するその第１極限姿勢と、ベッドを構成するその第２極限姿勢との間で移動する際に、その後退極限位置と、その前進極限位置との間の伸張部２８を徐々に移動させる制御機構によってシート底部２４及びレッグレスト２６にもリンク結合される。しかしながら、レッグレスト伸張部２８及び第２制御機構の存在が随意であることに留意すべきである。換言すれば、本発明はレッグレスト伸張部のないシートにも適用可能である。
【００４９】
図２、図４及び図５に示す実施形態では、この制御機構は端部と端部が関着された３つのコネクティングロッド７４、７６及び７８を備える。
【００５０】
コネクティングロッド７４の頂部端はボール継手８０によって可動構造体のシート底部２４の下で関着される。コネクティングロッド７４の底部端は、今度は、ヒンジピン８２によってコネクティングロッド７６の第１端部に関着される。コネクティングロッド７６の第２端部は、ヒンジピン８４によってコネクティングロッド７８の頂部端に関着される。コネクティングロッド７８の底部端は、今度は、ヒンジピン８６によってレッグレスト２６の伸張部２８の下で関着される。最後に、コネクティングロッド自体の中央部分は、ヒンジピン８８によってレッグレスト２６の下部両端間で関着される。ヒンジピン８２、８４、８６及び８８は、全て、互いに平行でありかつレッグレスト２６及びその伸張部２８の平面に直角である。
【００５１】
今まで説明してきた配置構成によれば、レッグレスト２６の漸進的な上昇は、シート背面２２及びシート底部２４の前向きかつ下向きの組合せ移動によって開始され、伸張部２８の極限後退位置から極限伸張位置までの漸進的な移動に帰着する。
【００５２】
図示しない１つの変更態様では、コネクティングロッド７４、７６及び７８は無端ケーブルによって置き換えられる。このケーブルは、今度は、シート底部２４、レッグレスト２６及び自身の伸張部２８によって支持される自由に走行するプーリ上に巻回される。この機構は記載した実施形態によって得られる効果に類似する効果を生み出す。
【００５３】
要するに、本発明に従うシートは、可動構造体２０の一部を構成する全ての部材、すなわち、シート底部２４、シート背面２２、レッグレスト２６、及び、随意にはレッグレストの伸張部２８は、互いにかつ固定構造体１０に機械的に連結される。結局、２つの端部位置間でこれらの部材の何れか１つを移動させる単一の制御は、シートを構成する第１姿勢と、ベッドを構成する第２姿勢との間の、各々が乗客にとって人間工学的に快適な位置に相当する、与えられた無数の中間位置を通過しながら、シートを移動させる。
【００５４】
単一の制御は、手動制御及び／又はモーター駆動による制御であってもよい。図３及び図４に示す実施形態はこの実施形態の有利な配置構成を表す。
【００５５】
より詳細には、図４は、ギア４０が設置されるシャフト４２が減速ギア機構９２を介した電動モータ９０によって何れの方向にも回転されるように構成されることを示す。モータ９０及び減速ギア機構９２はシート背面２２の背後に設置される。制御箱（図示せず）は、エルボレストを構成する側部プレート１６の１つ上のような乗客にとってアクセスし易いシート上の位置に設置される。この制御箱は、電気ケーブル９４を介してモータ９０に接続される。図３〜図５は、手動錠止部９６及びこの錠止部に対する制御ボタン９８を非限定的な例として示す。
【００５６】
電動モータ９０又は手動制御装置は、固定構造体１０及び可動部材２２又は２４の何れか１つ、あるいはコネクティングロッド５２及び５８、あるいはコネクティングロッド５８及び６０、あるいは６０及び６２間でも作用し得る。電動モータ９０が存在する場合には、この電動モータは何れかのラック及びピニオン、あるいはねじ及びナットデバイス等を伴う。
【図面の簡単な説明】
【図１】本発明によるシートの可動構造体を極めて概略的に示す側面図である。
【図２】特にレッグレストの延長部の制御機構を示す、下から見た別の極めて概略的な図である。
【図３】本発明によるシートの好ましい実施形態を表す組立分解斜視正面図である。
【図４】図３によるシートの背面斜視図である。
【図５】図３によるシートの、下から見た斜視図である。
【符号の説明】
１０  固定構造体
２０  可動構造体
２２  シート背面
２４  シート底部
２６  レッグレスト
２８  伸張部
３０  ヒンジピン
４０′、４４、４８、５０  第１案内手段
５２、５８、６０、６２  第２案内手段
７４  第６コネクティングロッド
７６  第５コネクティングロッド
７８  第７コネクティングロッド
９０  モータ駆動による制御装置
【国際公開パンフレット】
2004516189.tif 000003
2004516189.tif 000004
2004516189.tif 000005
2004516189.tif 000006
2004516189.tif 000007
2004516189.tif 000008
2004516189.tif 000009
2004516189.tif 000010
2004516189.tif 000011
2004516189.tif 000012
2004516189.tif 000013
2004516189.tif 000014
2004516189.tif 000015
2004516189.tif 000016
2004516189.tif 000017
2004516189.tif 000018
2004516189.tif 000019
2004516189.tif 000020
2004516189.tif 000021
2004516189.tif 000022
2004516189.tif 000023
2004516189.tif 000024
2004516189.tif 000025
2004516189.tif 000026
2004516189.tif 000027
【手続補正書】
【提出日】平成14年12月18日(2002.12.18)
【手続補正１】
【補正対象書類名】明細書
【補正対象項目名】特許請求の範囲
【補正方法】変更
【補正の内容】
【特許請求の範囲】
【請求項１】
航空機のような車両に使用するように構成された、ベッドに変換することができるシートであって、
固定構造体（１０）と、
シート底部（２４）、該シート底部に関着されたシート背面（２２）及び該シート底部にも関着されたレッグレスト（２６）を具備する可動構造体（２０）と、
前記固定構造体（１０）と前記シート背面（２２）との間に挿入され、第１の実質的に鉛直な極限位置と第２の実質的に水平な極限位置との間で前記シート背面の制御された移動を可能にする第１案内手段（４０′、４４、４８、５０）と、
前記シート背面（２２）の第１位置と該シート背面（２２）の第２位置との間の該シート背面の制御された移動が前記シート底部（２４）の対応する移動によって達成されるように、前記固定構造体（１０）と前記シート底部（２４）の間に挿入された第２案内手段（５２、５８、６０、６２）と、を備えるシートにおいて、
前記第２案内手段（５２、５８、６０、６２）の一部（６２）が、前記レッグレスト（２６）を前記前記固定構造体（１０）及び前記シート底部（２４）に連結し、これにより、第１極限シート形式姿勢と第２極限ベッド形式姿勢との間で与えられた中間姿勢を通過しながら前記可動構造体（２０）を自動的に移動させる効果を備える前記レッグレスト（２６）によって前記シート背面（２２）の制御された移動が行われることを特徴とするシート。
【請求項２】
前記シート底部が人間工学的な中間位置を占有することができるように、第２案内手段は少なくとも第１コネクティングロッド（５２）を備え、このロッドの前記両端が前記固定構造体（１０）上及び前記シート底部（２４）上に関着される、請求項１に記載のシート。
【請求項３】
第２案内手段は、前記レッグレスト（２６）を前記固定構造体（１０）及び前記第１コネクティングロッド（５２）に連結する第１制御機構（５８、６０、６２）を備える、請求項２に記載のシート。
【請求項４】
前記第１制御機構は、少なくとも１つの第２コネクティングロッド（６０）を備え、該第２コネクティングロッドの前記両端が自身の他端で前記固定構造体（１０）に関着された第３コネクティングロッド（５８）に関着され、及び該第２コネクティングロッドの他端が自身の他端で前記レッグレスト（２６）に関着された第４コネクティングロッド（６２）に関着され、この第２コネクティングロッドは、前記第１及び第２コネクティングロッドの前記両端間で前記第１コネクティングロッド（５２）に関着される、請求項３に記載のシート。
【請求項５】
前記可動構造体（２０）は、後退極限位置と伸張極限位置との間の前記レッグレスト（２６）上で摺動することができる該レッグレストの伸張部（２８）、及び、自身の第１極限姿勢と自身の第２極限姿勢との間の前記可動構造体（２０）の変形が、その後退極限位置とその伸張極限位置との間の前記伸張部（２８）の段階的前進変位によって達成されるように、前記伸張部（２８）を前記シート底部（２４）及び前記レッグレスト（２６）に連結する第２制御機構（７４、７６、７８）を備える、請求項１から請求項４までのいずれか１項に記載のシート。
【請求項６】
前記第２制御機構は、少なくとも１つの第５コネクティングロッド（７６）を備え、該第５コネクティングロッドの一端が第６コネクティングロッド（７４）に関着され、該第６コネクティングロッドの他端が前記シート底部（２４）に関着され、及び前記第５コネクティングロッドの他端が第７コネクティングロッド（７８）に関着され、該第７コネクティングの他端が前記レッグレストの前記伸張部（２８）に関着され、前記第５コネクティングロッドが該第５コネクティングロッドの中間位置で前記レッグレスト（２６）に関着される、請求項５に記載のシート。
【請求項７】
前記第２制御機構は、前記シート底部によって支持されるプーリの周りに巻回される少なくとも１つのケーブルを備える、請求項５に記載のシート。
【請求項８】
前記第１案内手段は、前記シート背面の頂部に設置される第１案内装置（４０′）、前記固定構造体（１０）に連結され自身が前記第１案内装置（４０′）と協働する第１スライド（４４）、前記シート背面（２２）の底部に設置される第２案内装置（４８）、及び前記固定構造体（１０）に連結され自身が前記第２案内装置（４８）と協働する第２スライド（５０）を備える、請求項１から請求項７までのいずれか１項に記載のシート。
【請求項９】
前記第１スライド（４４）は、好ましくは実質的に鉛直であり、かつ前記第２スライド（５０）は実質的に水平である、請求項８に記載のシート。
【請求項１０】
前記第２案内装置（４８）は、前記シート底部（２４）と前記シート背面（２２）との間でヒンジピン（３０）上で中心に置かれている、請求項８または請求項９に記載のシート。
【請求項１１】
単一の手動制御が前記可動構造体（２０）を前記第１極限位置と前記第２極限位置との間で移動させる、請求項１から請求項１０までのいずれか１項に記載のシート。
【請求項１２】
単一のモータ駆動による制御装置（９０）が前記可動構造体（２０）を前記第１極限位置と前記第２極限位置との間で移動させる、請求項１から請求項１０までのいずれか１項に記載のシート。
【国際調査報告】
2004516189.tif 000028
2004516189.tif 000029
2004516189.tif 000030
2004516189.tif 000031